(57)【特許請求の範囲】
【請求項１】
駆動可能な手すり（２）と、握りストリップ（３）と、欄干上側部（７）におけるガイド表面（５）を備えたガイド（４）と、手すり（２）をガイド（４）に沿ってけん引手段によって移動させる駆動装置（８）とを備える、人運搬装置（１）、特にエスカレータまたはムービングウォークであって、けん引手段が、握りストリップ（３）内に交換可能に配置された少なくとも１つのけん引運搬具（１２）を備え、欄干上側部（７）におけるガイド表面（５ａ〜５ｅ）と相補的なガイド表面（１１ａ〜１１ｇ）が、握りストリップ（３）の内部に形成され、けん引運搬具（１２）が、握りストリップ（３）の対応するくぼみ内に、機械的にしっかりと定位置に嵌合される、および／または定位置に押し込まれる、および／または定位置に接合される、および／または定位置にねじ込まれる、および／または定位置に一体化され、握りストリップ（３）が、欄干の戻りローラ（２０）上の横方向のガイド（２６ａ、２６ｂ）と係合すべく、握りストリップ（３）の上側表面上で握りストリップ（３）の周囲を長手方向に延びる一対の溝（２５ａ、２５ｂ）を有することを特徴とする、人運搬装置（１）。
【請求項２】
握りストリップ（３）が、長手方向（１４）のその転動円周に沿った一体化構造のものであることを特徴とする、請求項１に記載の人運搬装置（１）。
【請求項３】
握りストリップ（３）が、長手方向（１４）の多部片のおよび／または多部分の構造のものであり、および／または個々のセグメントからなることを特徴とする、請求項１に記載の人運搬装置（１）。
【請求項４】
欄干上側部（７）におけるガイド表面の横断面プロファイルが、凹形であり、握りストリップの下側部（１０）における相補的ガイド表面の横断面プロファイルが、凸形であることを特徴とする、請求項１から３のいずれか一項に記載の人運搬装置（１）。
【請求項５】
ローラおよび／または針状軸受および／または針状ローラ平ベルトおよび／またはシリンダローラ平ベルトが、欄干上側部（７）においてガイド表面に配置されることを特徴とする、請求項４に記載の人運搬装置（１）。
【請求項６】
握りストリップ（３）が、単一の材料からなることを特徴とする、請求項１から５のいずれか一項に記載の人運搬装置（１）。
【請求項７】
握りストリップ（３）が、２つの材料の化合物からなり、握りストリップガイド部分が、０．０５から０．３５の範囲の摩擦係数を有するプラスチック材料から形成され、握りストリップの土台領域が、３０から１８５Ｎ／ｍｍ２の範囲の屈曲強さを有するプラスチック材料から形成されることを特徴とする、請求項１から５のいずれか一項に記載の人運搬装置（１）。
【請求項８】
握りストリップ（３）が、複数材料の化合物からなり、すなわち
握りストリップガイド部分が、０．０５から０．３５の範囲の摩擦係数を有するプラスチック材料から形成され、
握りストリップの円周領域が、３０から１８５Ｎ／ｍｍ２の範囲の屈曲強さを有するプラスチック材料から形成され、
握りストリップカバー層が、０．４から８μｍの範囲の粗さ、および０．０５から０．５Ｗ／ｍＫの範囲の比熱伝導率λを有するプラスチック材料から形成されることを特徴とする、請求項１から７のいずれか一項に記載の人運搬装置（１）。
【請求項９】
握りストリップ（３）と、欄干上側部（７）におけるガイド表面（５）を備えたガイド（４）と、手すり（２）をガイド（４）に沿ってけん引手段によって引っ張るおよび／または移動させる駆動装置（８）とを備える、エスカレータまたはムービングウォークのための手すり（２）であって、けん引手段が、握りストリップ（３）内に交換可能に配置された少なくとも１つのけん引運搬具（１２）を備え、欄干上側部（７）におけるガイド表面（５ａ〜５ｅ）と相補的なガイド表面（１１ａ〜１１ｇ）が、握りストリップ（３）の内部に形成され、けん引運搬具（１２）が、握りストリップ（３）の対応するくぼみ内において、機械的にしっかりと定位置に嵌合される、および／または定位置に押し込まれる、および／または定位置に接合される、および／または定位置にねじ込まれる、および／または定位置に一体化され、握りストリップ（３）が、欄干の戻りローラ（２０）上の横方向のガイド（２６ａ、２６ｂ）と係合すべく、握りストリップ（３）の上側表面上で握りストリップ（３）の周囲を長手方向に延びる一対の溝（２５ａ、２５ｂ）を有することを特徴とする、手すり（２）。
【請求項１０】
握りストリップ（３）が、その長手方向（１４）のその転動円周に沿った一体化構造のものであることを特徴とする、請求項９に記載の手すり（２）。
【請求項１１】
握りストリップ（３）が、その長手方向（１４）の個々のセグメントからなることを特徴とする、請求項９に記載の手すり（２）。
【請求項１２】
握りストリップ（３）が、合成材料および／または合成材料化合物からなることを特徴とする、請求項９から１１のいずれか一項に記載の手すり（２）。
【請求項１３】
握りストリップ（３）が、４０と７８ｍｍの間の範囲の手すりの長さまたは幅にあることを特徴とする、請求項９から１２のいずれか一項に記載の手すり（２）。
【請求項１４】
握りストリップ（３）が、３４から７０ｍｍの間の範囲の高さにあることを特徴とする、請求項９から１３のいずれか一項に記載の手すり（２）。
【請求項１５】
握りストリップ（３）が、７０から４０ｍｍの長さおよび６０から４０ｍｍの高さを備えた長円または楕円の横断面を有することを特徴とする、請求項９から１４のいずれか一項に記載の手すり（２）。
【請求項１６】
手すりが、ブレーシング（２７ａ、２７ｂ、２８ａ、２８ｂ）および／または空間（２９ａから２９ｄ）および／または空洞（２９ａから２９ｂ）および／または補強コンパートメント（３０）を有することを特徴とする、請求項９から１５のいずれか一項に記載の手すり（２）。
【請求項１７】
握りストリップ（３）が、２つの材料の化合物からなり、握りストリップガイド部分が、０．１０から０．１５の範囲の摩擦係数を有するプラスチック材料から形成され、握りストリップの土台領域が、５０から９５Ｎ／ｍｍ２の範囲の屈曲強さを有するプラスチック材料から形成されることを特徴とする、請求項１から５のいずれか一項に記載の人運搬装置（１）。
【請求項１８】
握りストリップ（３）が、複数材料の化合物からなり、すなわち
握りストリップガイド部分が、０．１０から０．１５の範囲の摩擦係数を有するプラスチック材料から形成され、
握りストリップの円周領域が、５０から９５Ｎ／ｍｍ２の範囲の屈曲強さを有するプラスチック材料から形成され、
握りストリップカバー層が、２μｍの粗さ、および０．２から０．３Ｗ／ｍＫの範囲の比熱伝導率λを有するプラスチック材料から形成されることを特徴とする、請求項１から７のいずれか一項に記載の人運搬装置（１）。
【請求項１９】
握りストリップ（３）が、７０と７５ｍの間の範囲の手すりの長さまたは幅にあることを特徴とする、請求項９から１２のいずれか一項に記載の手すり（２）。
【請求項２０】
握りストリップ（３）が、３５と６２ｍｍの間の範囲の高さにあることを特徴とする、請求項９から１３のいずれか一項に記載の手すり（２）。
【発明の詳細な説明】
【技術分野】
【０００１】
本発明は、エスカレータまたはムービングウォークの形態の人運搬装置に関する。人運搬装置には、１つの手すりまたは２つの手すりが装備される。
【背景技術】
【０００２】
「手すり」とは、エスカレータまたはムービングウォークの（片側または）両側に配置された欄干のところにある装置であると理解される。手すりストリップまたは握りストリップは、特に、エスカレータまたはムービングウォークが動くのと同じ速度でこの欄干に沿って誘導される。それによって、握りストリップは、運搬装置上に位置し、これに乗るまたはこれから降りる人に対して支持または握り部分を提供する。
【０００３】
人運搬装置の必須の構成要素として、これは、たとえば駅または百貨店などの公共施設が考えられるが、手すりは、高レベルの機能だけでなく高度の安全要求も満たさなければならない。知られている手すりは、鋼ストランドまたは鋼線が定位置に加硫処理されたエンドレスゴムベルトからなる。
【０００４】
手すりは、大抵けん引手段を備え、その助けを得て、駆動装置によってガイドを通して引っ張られる。ガイドは、エスカレータまたはムービングウォークの（片側または）両側に配置された欄干に沿って通っている。エスカレータに見られるような欄干を回る循環が描かれ得るように、けん引手段だけでなく、手すり自体も、可撓性になるまたは諸要素からなる必要がある。この循環は、さまざまな湾曲部および半円部または半楕円部ならびに駆動ホイールのルーピングから構成される。
【０００５】
部類を定義するスイス特許第５５７２９５号明細書は、鎖によって駆動されるＵ字形のセグメントから形成された手すりを開示している。ここでは、鎖は、けん引運搬具として構築されたけん引手段を形成する。手すりの個々のセグメントは、単に鎖上に置かれているだけであり、その都度、鎖要素は、セグメントの対応するくぼみ内に位置するようになる。レールまたはガイドレールが配置されたＵ字形運搬具のプロファイル部材が、欄干に連結されるために、誘導が達成される。輸送鎖または鎖は、このレールまたはガイドレール上を進む、または転動する。このレールは、弾性のプラスチック材料からなる。したがって、セグメントの誘導は、ここでは、鎖によって直接的に行われる。Ｕ字形運搬具のプロファイル部材の内面は、横方向のガイドが締め付けられたウエブを有するために、手すりのセグメントが、鎖から引き出されることが防止される。横方向のガイドの下方には、Ｕ字形セグメントの角度付けされた端部が設けられ、この端部は、誰かがセグメントを上向き方向に引き出そうとする場合、横方向のガイドと接触して抑止安全位置に入る。
【先行技術文献】
【特許文献】
【０００６】
【特許文献１】スイス特許第５５７２９５号明細書
【発明の概要】
【発明が解決しようとする課題】
【０００７】
この手すり構成に伴う欠点は、鎖ガイドならびに横方向のガイドのこの特別な構造が、誘導能力の低下という結果を有することである。正常な作動では、Ｕ字形セグメントが下向き方向に負荷がかけられたとき、誘導は、鎖およびガイドレールによって行われるが、その反対の場合、セグメントが上方向に負荷がかけられるとき、誘導は、小さすぎる横方向のガイドおよびＵ字形セグメント自体の角度付けられた端部によって行われる。避けられない製造公差により、Ｕ字形セグメントは、かなりの程度まで持ち上がる、または明確に知覚可能な量で上向きに移動する可能性があり、これは、多くの乗客に不安感を生じさせる。
【０００８】
スイス特許第５５７２９５号明細書からすると、その目的は、説明した欠点を有さない手すりを備えた人運搬装置を作り出すことにある。加えて、より経済的かつより簡単な構造のものであり、人間工学的に、また握るという点で改良された手すりが、作り出されなければならない。さらに、手すりは、特有の安全要求を維持し、ユーザに対する新規の利便性の要求事項を上回るものでなければならない。
【０００９】
本発明者は、スイス特許第５５７２９５号明細書により、欄干上側とけん引手段またはけん引運搬具の間に形成されたガイド表面は、走行の円滑性に全く貢献しないことを認識した。その結果、汚れおよび埃に対して保護される新しいガイド表面が、握りストリップの逆面に組み込まれた。それによって、本発明により、手すりの誘導は、握りストリップ内に一体化される。さらに、手すりは、２つだけの個々の部分、すなわち握りストリップおよびけん引手段から構築され、そのため、これらによって安定した誘導を付与し、可能にする。
【００１０】
握りストリップは、たとえば射出成形され得る。これに関連して、握りストリップは、プラスチック材料から射出成形または鋳造されることができ、そのため、個々のセグメントからだけでなく、単体品からも長手方向に製造することを可能にする。この構造では、けん引手段は、極めて可撓性であり、容易な偏向を可能にする必要がある。この点において、工場においてシーム位置ですでに連結され、仕上がった握りストリップのリングとして組立て現場に搬送される製造の形が考慮される。しかしながら、最初からリングであり、後で握りストリップリングを形成するのに閉じられなければならない、開いた握りストリップバンドでない製造も考慮される。しかしながら、これに加えて、たとえば突出せず、平滑な連結点を確実にする重なり連結を用いることによる現場での組立ても問題になる。平滑な連結点を確実にすることは、輸送されている人に対する負傷のリスクが存在しないように、特に握りストリップの上側部上で要求される。
【００１１】
握りストリップは、その横断面で見られるように、中実または半中実または中空として単一の材料から作製され得るが、ウエブによって補強された部分的に中空のプロファイル部材からも作製され得る。これに関連して、選択される材料は、要求された、または望まれた、または目的である材料の要求事項をできるだけ満足がいくように同時に実現するための有利な特性を有する結合または融合を表すものである。
【００１２】
長手方向の一体化設計の変形形態の場合、材料は、循環の屈曲および湾曲を描くことを可能にする上で可撓性である必要がある。しかしながら、それと同時に、材料はまた、屈曲および屈曲における交番する負荷が割れを引き起こさないように柔軟なものでなければならない。ローラ駆動装置の場合、材料は、駆動ローラ（複数可）の推力に耐える十分な摩擦強度を有する必要がある。ガイド表面は、耐摩耗性、耐擦傷性、および硬性のものでなければならず、良好な滑り特性を有さなければならない。握り部の表面は、触覚的に心地よく、しっかりした握りを可能にする必要がある。
【課題を解決するための手段】
【００１３】
したがって、本発明による握りストリップの好ましい実施形態は、以前のようにその横断面では正に一体化構造のものであるが、２つ、３つ、またはそれ以上の材料を有する材料合成物からなる握りストリップが作り出されたために、部分的に相反する材料の要求をより良好に満たすことが想到される。これは、たとえば、共通の射出成形方法でそのように射出成形されたプラスチック材料の２つまたは３つの異なる種類または変形形態でもよく、たとえば、ガイド表面が、非常に良好な滑り能力を備えた高度な耐擦傷性のプラスチック材料からなり、握りストリップの残りの横断面プロファイルが、可撓性および触覚的に心地よいプラスチック材料から形成される。滑りに適合する耐摩耗性のプラスチック材料として適切であるのは、とりわけ、Ｈａｒｄ，ＡｕｓｔｒｉａのＦａｉｇｌｅ社のＰＡＳ（Ｒ）−ＬＸＹである。しかしながら、ＰＴＦＥまたはテフロン（登録商標）、またはポリテトラフルオロエチレンまたはＰＯＭ−ＰＴＦＥ  １８  Ｓｉｌｃ２、ＰＡ６．６  ＰＴＦＥ  １８  Ｓｉｌｃ２、ＰＡ６−ＰＴＦＥ  １３  Ｓｉｌｃ  ２、ＰＡ６．６  ＰＴＦＥ２０、ＰＡ１２  ＰＴＦＥ  １８  Ｓｉｌｃ２、ＰＰＳ  ＰＴＦＥ１５  ＧＦ３０、ＰＡＩ  ＰＴＦＥ２０、ＰＰＳＯ  ＰＴＦＥ２０、ＰＰＳＵ  ＰＴＦＥ２０、ＰＰＥ  ＰＴＦＥ１８、ＰＯＭ−ＰＴＦＥ  １８、ＰＯＭ−ＰＴＦＥ  ２０、ＰＯＭ  ＰＦＴＥ  ２５なども適している。全般的に、本発明によれば、０．０５から０．３５、好ましくは０．１０から０．１５の範囲の摩擦係数を有する材料を利用することが好ましい。全般的に、好ましくは、テフロン（登録商標）プラスチック材料またはポリテトラフルオロエチレンプラスチック材料および／またはＮＡＮＯ滑りラッカーまたはＮＡＮＯ滑り合成材料またはＮＡＮＯ滑り部品またはＮＡＮＯ滑り粒子が使用される。
【００１４】
本発明による握りストリップの別の好ましい実施形態は、３つまたはそれ以上の異なる材料の材料合成物を提供する。この点において、ガイド表面は、上記で説明されたテフロン（登録商標）滑り材料からなることができるが、握りストリップの土台本体領域は、構造的要求（逆屈曲の特性、引っ張り強さ）を最適に実現する材料のものであり、握りストリップの円周領域またはカバー領域は、ここでも軟質で触覚的に心地よい材料のものである。握りストリップの土台本体領域は、好ましくは、３０から１８５Ｎ／ｍｍ２、好ましくは５０から９５Ｎ／ｍｍ２の範囲の屈曲強さを有するプラスチック材料から作製され、１５から３０Ｎ／ｍｍ２の数値もまた考えられる。
【００１５】
本発明による握りストリップのカバー領域の材料特性に関して、触覚的に心地よい材料、好ましくは柔らかい感触の表面および／または発泡体表皮を有する材料が選択される。これは、一方では、接触時の触感が過度の刺激を生じさせないことを意味する。これは、たとえば、粗さ、手滑り特性、温度および熱伝導性に関するものであるが、水分および油分を吸収する能力に関するものでもある。しかしながら、他方では、握りストリップのカバー領域は、安全要求を満たさなければならない。これに関連して関係するのは、特に材料の防炎特性または防火特性、および滑り特性である。材料が滑りやすい場合、エスカレータの傾斜部内ではほとんど握り部が存在しない。それに対して、材料の滑り耐性が強すぎる場合、たとえば衣料品または鞄がこれに固着することによる、事故のリスクおよびハンドリング問題が伴う。握りストリップのカバー層は、好ましくは、０．４から８ミクロンの範囲、好ましくは２ミクロンの粗さおよび／または０．０５から０．５Ｗ／ｍＫ、好ましくは０．２から０．３Ｗ／ｍＫの範囲の比熱伝導性λを有する異なるプラスチック材料から作製される。
【００１６】
基本的に、本発明による握りストリップに対しては、以下の材料：たとえばＰＡ（ポリアミド）、ＰＡ６（Ｐｅｒｌｏｎ（Ｒ））、ＰＯＭ（ポリオキシメチレン、たとえばＤｅｌｒｉｎ（Ｒ））、ＰＥＥＫ（ポリエーテルエーテルケトン）、ＰＡＳ（ポリアリーレンサルファイド）、ＰＥ（ポリエチレン）、ＰＵＲ（ポリウレタン）、ＰＰ（ポリプロピレン）、ＰＶＤＦ（フッ化ポリビニリデン）、ＰＴＦＥ（ポリテトラフルオロエチレン）などのプラスチック材料、天然繊維または複合繊維またはＧＲＰ（ガラス繊維強化プラスチック）またはＣＲＰ（炭素繊維強化プラスチック）またはプレスセメントまたは繊維マトリクスまたはポリトロンまたはプリプレグ（含浸済み繊維）または射出成形されたセラミックまたは麻セメントまたは再利用材料またはすでに挙げられた材料の組合せが考慮され得る。
【００１７】
さらに、本発明による握りストリップをそれが１つだけの材料からなるか、材料合成物からなるかに関係なく、防火性または「自己消火性」材料から構築することが想到される。Ｈａｒｄ、ＡｕｓｔｒｉａのＦａｉｇｌｅ社のＰＡＳ−ＰＶＤＦ、またはここでは、特に、Ｍｉｄｄｌｅｂｕｒｙ、Ｖｅｒｍｏｎｔ、ＵＳＡのＭｏｎａｈａｎ  Ｆｉｌａｍｅｎｔｓ社のＷｙｔｅｘ（Ｒ）という名称のプラスチック材料が考慮される。
【００１８】
握りストリップの材料、すなわち３つのすべての材料または特にカバー層の材料は、追加的に本発明によって以下の付随する目的を実現することができる：
静電気の防止、
遮音、
断冷および断熱、
良好な清掃および清潔度を保つことに関する衛生対策または衛生状態の要求事項の維持、だけでなく、ナノ銀粒子による材料の殺菌および浸透性の可能性、加えてカバー材料の選択的な反射化またはクロム処理または金属化。
【００１９】
本発明による握りストリップの横断面プロファイルは、たとえば、凸性および凹性が、載せている手の表面、たとえば閉じている親指により良好に適合するために、人間工学的に改良された構造のものになり得る。好ましい実施形態は、より小さい直径かつ下方からより握りやすいストリップが握りストリップ内に一体化されるために、子供に対して向上した握り性を提供することが想到される。
【００２０】
握りストリップの表面は、粗く、平滑に、波形に、またはぎざぎざになるように構築され得る。さらに、握りストリップの表面は、コ−ティング、塗装、または色づけされることができ、あるいはＰＶＤ表面（「物理的蒸着」＝物理的気相成長）として、金属化（たとえばクロムで蒸着させた）表面として、もしくはＤＬＣ（「ダイヤモンドライクカーボン」＝炭素のダイヤモンドライク保護層）としてまたはプラズマ表面またはナノ表面として構築され得る。
【００２１】
加えて、本発明による手すりの別の好ましい実施形態によれば、表面は、ローラ上の対応する対合ガイドまたはフランジまたは横方向のガイドがその中に嵌合する溝の形態のガイドフルートを有する。したがって、本発明による人運搬装置は、好ましい実施形態では、欄干上側部で、互いに相補的なガイド表面の機械的にしっかりと相互係合によって誘導される手すりが循環されるが、手すりは、ローラによって欄干の下面で支持される。これらのローラの少なくとも１つは、誘導ローラとして設計される。手すりの駆動は、１つまたは複数のホイールによって行うことができる。しかしながら、誘導ローラまたはローラ以外に、他の戻りガイドもまた考えられ、加えて、これは、同様に説明されたように欄干下面自体だけでなく、エスカレータまたはムービングウォークの支持構造または枠組みの領域内にくぼみが付けられた、欄干の土台領域内またはその下方にも存在する。
【００２２】
欄干上側部の手すりストリップ／握りストリップの誘導に対して、すでに述べられたように、機械的にしっかりと相互係合する相補的なガイド表面が、本発明によって、欄干上側部および握りストリップに形成される。これは、欄干上側部自体が、最少バージョンで、３つのガイド表面を有する矩形として構築されていることを意味する。このとき、これに対応する握りストリップの３つ相補的なガイド表面だけが欄干を囲むので、握りストリップが、欄干上側表面上に位置し、横方向の表面が横方向の誘導支持を与えるようになる。
【００２３】
しかしながら、本発明による手すりガイドの好ましい実施形態は、握りストリップが、（誘導ローラまたはローラのフランジに対して）力を加えることによって横方向に変位され得ないことを実現する。このために、溝および鍵連結の方法で相互係合する別のガイド表面が設けられる。
【００２４】
本発明によれば、欄干の側面のみに、垂直に支持もするガイド表面を有する手すりガイドを提供することも可能である。この実施形態は、特に、握りストリップの下側部と欄干上側部の間に、中間スペースが残され得るという利点を有し、それにより、手すりの循環速度は、たとえば人がそれらをきつく支持するまたは重い鞄類をその上に置く場合、減速する恐れはなくなる。
【００２５】
本発明による手すりガイドの別の好ましい実施形態は、摩擦係数の増大による速度の減速を回避するために、ガイド表面内に、小さいローラまたは針状軸受または針状ローラ平ベルトまたは円筒ローラ平ベルトを提供する。
【００２６】
本発明による手すりストリップの上述された実施形態は、ガイド表面を備えた欄干上側部自体の構造を開示した。しかしながら、ガイド表面無しの欄干上側部を形成すること、およびその上にガイドレールを装着することも考えられる。
【００２７】
欄干上側部自体にガイド表面が装備されているか、ガイドレールがその上に装着されているかに関係なく、欄干上側部にあるガイド表面の横断面プロファイルは、正または負のものになり得る。握りストリップの下側部にあるガイド表面の横断面プロファイルは、それぞれ、ガイド表面の欄干上側部にあるガイド表面と相補的である。従来の手すりの取り付けとは反対に、ガイドがまた、欄干では負に形成され、握りストリップでは直接正に形成され得るということは、必要性および使用される材料によって捕捉のリスクがより小さい、改善されたより安全なガイドを得ようとする可能性を開く。
【００２８】
本発明による手すりストリップは、すでに上記で説明されたように、長手方向に単体品または複数のセグメントからなる。個々のセグメントを備えた実施形態の場合、手すりストリップの湾曲部または偏向部で分かれる中間空間に、可撓性および可逆性の伸縮ケーシングを設けることを可能にする。しかしながら、可撓性のセグメントと可撓性および可逆性の伸縮ケーシングの組合せは、別の好ましい実施形態を表す。これは、セグメントの可撓性が、ケーシング無しの一体化握りストリップの変形形態の場合と同じ高さにならなくてもよいが、それと同時に、セグメントが可撓性であるために、ケーシングは、そのように広く開く中間空間を覆わなくてよいという利点を提供する。
【００２９】
本発明による手すりの好ましい実施形態によれば、この可撓性および可逆性の伸縮ケーシングは、不燃性材料から作製される。このために、（ケーシング無しの）握りストリップ自体に関してすでに上記で説明されたように、好ましくは、Ｍｉｄｄｌｅｂｕｒｙ、Ｖｅｒｍｏｎｔ、ＵＳＡのＭｏｎａｈａｎ  Ｆｉｌａｍｅｎｔｓ社の合成材料Ｗｙｔｅｘ（Ｒ）が使用される。難燃性合成材料のＷｙｔｅｘ（Ｒ）ＦＲ−ＨおよびＷｙｔｅｘ６は、特に、ハロゲンまたはリンを全く含有しない。これらの合成材料は、ナイロンまたはポリアミドのすべての有利な硬性および強さ特性を有し、加えて、毒性度、酸性度、および煙の光学濃度が非常に低いという利点も有する。さらに、材料は、自己消火性および防火性および難燃性のものである。可燃性は、０．７５ｍｍ厚さにおける保険業者研究所の試験ＵＬ  ９４において、（Ｖゼロとして定められた）クラスＶ０に相当する。これは、単に、定められた材料の厚さの試料が、垂直に固定され、直火にさらされた後、１０秒未満で自己消火することを意味する。こうして、自己消火性が証明され、極度の難燃性が与えられる。
【００３０】
加えて、これらの合成材料は、顕著な電気絶縁特性を有する一方で、高い機械強さを維持する。基本材料の基本的な特徴は以下のとおりである：
密度１．１６ｋｇ／ｄｍ３
Ｉｚｏｄによる衝撃靱性  ４０Ｊ／ｍ２
引き裂き／引き伸ばし強さ  ７５Ｎ／ｍｍ２
固有の伸び率  １０％
屈曲強さ  ９５Ｎ／ｍｍ２
弾性率  ２３００Ｎ／ｍｍ２
クリープ電流強さ＞６００Ｖ
変形温度  １９０℃
酸素指数  ３４％
０．７５ｍｍにおけるＵＬ９４による可燃性は、Ｖ０に相当する。
毒性指数  ３８
煙の光学濃度  ７５（Ｆ）／５０（ＩＭＦ）Ｄｍ
煙の酸性度  ８ｐＨ。
【００３１】
本出願の教示と同じ出願人によって同時に出願された出願（エスカレータまたはムービングウォークのための手すり）の教示を組み合わせることができる可能性が、明示的に言及される。さらにもっとまたはより大きく改良された、あるいはそれ以上のまたは何倍も改良された材料特性および安全特性を備えた手すりが、そこで開示される。
【００３２】
本発明による人運搬装置の別のまたは有利な実施形態またはそれに対応して設計された手すりは、従属請求項の主題を形成する。
【００３３】
本発明は、より詳細に象徴的にかつ図に基づいた例によって説明される。
【００３４】
図は、連結的かつ全般的に説明される。同じ参照符号は、同じ構成要素を表し、異なる添え字を有する参照符号は、機能的に同等または類似の構成要素を示す。
【図面の簡単な説明】
【００３５】
【図１】本発明による人運搬装置の概略図である。
【図２ａ】本発明による手すりならびに手すりの組立ておよび取り付けの図１の横断面軸Ａ−Ａに沿った横断面図である。
【図２ｂ】本発明による手すりならびに手すりの組立ておよび取り付けの図１の横断面軸Ａ−Ａに沿った横断面図である。
【図２ｃ】本発明による手すりならびに手すりの組立ておよび取り付けの図１の横断面軸Ａ−Ａに沿った横断面図である。
【図３ａ】ガイドローラによる握りストリップのガイドを示す図である。
【図３ｂ】ガイドローラによる握りストリップのガイドを示す図である。
【図４ａ】握りストリップの別の好ましい形態を示す図である。
【図４ｂ】握りストリップの別の好ましい形態を示す図である。
【図５】湾曲部または手すり湾曲部内のセグメント隙間の変化の概略図である。
【発明を実施するための形態】
【００３６】
エスカレータが、図１において、人運搬装置１に関する例として極めて概略的な側面図から示されている。エスカレータは、レベルＥ１からレベルＥ２までまたはその逆に人を運搬する。このために、エスカレータは、個々のステップ２２のための循環部からなる基礎構造と、欄干６を回る手すり２から実質的に形成された上部構造とを有する。したがって、握りストリップ３が、握りストリップの下側部１０に形成されたガイド表面５を用いることによってガイド４または手すりガイド４内で欄干上側部７に沿って走行するために、手すり２は、ステップ２２の上向きおよび下向き移動に随伴する位置にある。握りストリップ３は、たとえばローラ２０ａ〜２０ｃ、２１によって欄干の下側部１９において偏向される。握りストリップ３の戻りガイドは、ここでは、欄干の下側部における任意選択のローラによって示されている。ローラ２１は、調整装置２３によって調整可能になる誘導ローラとして構築され、これは、両矢印を用いて示されている。少なくとも１つが駆動している２つの両側のローラから形成された駆動装置８は、握りストリップ３をガイド４およびローラ２０ａ〜２０ｆおよび２１から形成された循環経路内で、時計方向または反時計方向の感覚でそれぞれ上向きまたは下向きの輸送方向に回転させる。横断面軸Ａ−Ａは、手すり２の上部分ならびに握りストリップ３およびガイド４または手すりガイド４を貫通して切り取られたものである。
【００３７】
図２は、図１の横断面軸Ａ−Ａによる横断面図として、ガイド４または手すりガイド４が本発明によってどのように構築され得るか、すなわち欄干上側部７の欄干６ｃがガイド表面５ａ〜５ｅの形状で正の横断面プロファイル１５ａを形成している点において概略的に示している。握りストリップ３または３ｃは、けん引手段９ｃによって、長手方向１４に、シートの平面に入るようにまたはそこから出るように引かれる。握りストリップ３、３ｃは、ガイド表面１１ａ〜１１ｇを用いることによって、負の横断面プロファイル１５ｂを形成する。欄干は、中実になるように構築され得るが、中空でもよく、あるいは横断面プロファイル部材１５ａがその上に着座する上側縁上において、垂直に配設された１枚のプレートまたはシートまたはパネルまたは嵌め込みパネルまたはパネル壁のみからなることもできる。けん引手段は、さまざまな形態の構造のものでよく、たとえば、ベルト、支持ベルト、鎖、アラミドベルト、歯車付きベルト、ポリ−Ｖ−ベルト、ヘリングボーン歯車付きベルト、伝達鎖などでよい。
【００３８】
加えて、図２ａから図２ｃは、手すり２ｃまたは握りストリップ３ｃを横断面軸Ａ−Ａによる横断面で示している。欄干６ｃ上に配置されているのは、ガイド４内に受け入れられたガイドプロファイル部材２４である。けん引手段９ｃは、そのために形成されたレセプタクル３２を用いることによって握りストリップ３ｃ内に一体化される。握りストリップ３ｃは、任意選択の上側ブレーシング２７ａおよび２７ｂと、下側ブレーシング２８ａおよび２８ｂと、空間２９ａから２９ｄまたは空洞とを有する。さらに、次の図で説明される機能を有する２つの溝２５ａおよび２５ｂが、任意選択で握りストリップ３ｃの上側部に形成され得る。握りストリップ３ｃは、ガイドプロファイル部材２４上へと長手方向１４に押し出されまたは引っ張られ得る。図２ｃは、けん引手段９ｃが、どのようにして握り部３ｃ内に容易にかつ簡単に収容され得るかを示している。レセプタクル３２は、けん引手段９ｃを受け入れ、それを恒久的に収容する。
【００３９】
図３ａおよび図３ｂは、握りストリップ３ｃの上側部が２つの長手方向に延びる溝２５ａおよび２５ｂを有する目的を示している。手すりの戻り誘導では、したがって、欄干の下側部（握りストリップ３ｃが、鏡像で示されている、またはその１８０°逆さまに回転されている）に沿って、本発明による手すりは、特にガイドローラ２０または誘導ローラ２０によって誘導および／または駆動もされ得る。対応するフランジまたは横方向のガイド２６ａおよび２６ｂは、横方向の誘導および安定性をより良好にするためだけでなく、接触面積を増大するために溝２５ａおよび２５ｂ内に係合する。
【００４０】
図４ａおよび図４ｂは、特別な別の使用可能な横断面プロファイルを有する手すり２ｄまたは２ｅ、握りストリップ３ｄおよび３ｅの追加の任意選択の形態を示している。図４ａに示されるのは、握りストリップ３ｄであり、この握りストリップ３ｄは、横断面に、図２に示された上側部ブレーシング２７ａおよび２７ｂ、ならびに下側ブレーシング２８ａおよび２８ｂ、または空間２９ａから２９ｄまたは空洞を有するが、それに加えて、上側領域内に、補強コンパートメント３０を備えた二重に強化された構造および／または二重壁構造を有する。本発明によるこの実施形態は、安定性および材料の対合性に対するだけでなく、絶縁および減衰ならびに改良された触覚および強化された握り性に対しても利点をもたらす。図４ｂは、例として、好ましくは欄干６ｃの内側に配置され、たとえば子供が、ハンドストリップまたは握りストリップ上に、より安全かつより容易な握り部、保持部または保持ノブを見つけることができる、隆起部３１または凸部３１または子供用ハンドグリップ３１を示している。
【００４１】
図５は、手すり偏向領域内または手すり湾曲部内の手すり２ｃの握りストリップ３ｃの個々の手すりセグメントの傾斜変化を示している。手すりセグメントの偏向湾曲部上の角度の偏差は、最大でも１．５ｍｍから２ｍｍの移動変化または間隔変化を可能にし、すなわちセグメントの隙間変化は、最大でも１．５ｍｍから２ｍｍであり、セグメントの重複領域は、３ｍｍから５ｍｍで十分に寸法設定される。さらに、空隙または開放隙間の形は生じず、それにより、捕捉されるまたは挟まれるリスクは存在しない。けん引手段９ｃは、湾曲領域または偏向領域内の角度または間隔の変化が、容易に、直ちに、かつ簡単に可能になるような可撓性または弾性または連接型の構造のものである。握りストリップ３ｃの個々の手すりセグメントのけん引手段９ｃ上へのまたはこれとの必要な固定または締め付けは、レセプタクル３２によって非常に満足のいくように提供される。手すりセグメントの追加の固定は、可能であり考えられるが、省略されてもよい。
【図１】
0005752594.tif 000002
【図２ａ】
0005752594.tif 000003
【図２ｂ】
0005752594.tif 000004
【図２ｃ】
0005752594.tif 000005
【図３ａ】
0005752594.tif 000006
【図３ｂ】
0005752594.tif 000007
【図４ａ】
0005752594.tif 000008
【図４ｂ】
0005752594.tif 000009
【図５】
0005752594.tif 000010